【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
下記一般式（１）で表されるキノフタロン色素単量体（Ａ）。
一般式（１）
【化１】
2013209614.tif 000001
（式中、Ｑは下記一般式（２）で表されるキノフタロン色素を表す。
Ｒ1は、水素原子、またはメチル基を表す。
Ｘ1は、−Ｒ2−、−Ｏ−Ｒ3−、−ＣＯ−Ｒ3−、−ＣＯＯ−Ｒ3−、または−Ｏ−ＣＯ−
Ｒ3−を表す。
Ｒ2は、置換もしくは無置換の３級炭素を有するアルキレン基、置換もしくは無置換のエ
ステル結合（−ＣＯＯ−）もしくはエーテル結合（−Ｏ−）から選ばれる一種類以上の結
合を少なくとも１つ含むアルキレン基、置換もしくは無置換のアルケニレン基、置換もし
くは無置換の２価のアリール基、−Ｒ4−Ｏ−Ｒ5−、−Ｒ4−ＣＯ−Ｒ5−、−Ｒ4−Ｏ−
ＣＯ−Ｒ5−、−Ｒ4−Ｏ−ＣＯＮＨ−Ｒ5−、または−Ｒ4−Ｏ−ＣＯ−Ｒ6−ＣＯ−Ｒ5−
を表す。
Ｒ3は、置換もしくは無置換のアルキレン基、置換もしくは無置換のアルケニレン基、置
換もしくは無置換の２価のアリール基、−Ｒ4−Ｏ−Ｒ5−、−Ｒ4−ＣＯ−Ｒ5−、−Ｒ4
−Ｏ−ＣＯ−Ｒ5−、−Ｒ4−Ｏ−ＣＯＮＨ−Ｒ5−、または−Ｒ4−Ｏ−ＣＯ−Ｒ6−ＣＯ
−Ｒ5−を表す。
Ｒ4およびＲ6は、それぞれ独立に、置換もしくは無置換のアルキレン基、置換もしくは無
置換のアルケニレン基、または置換もしくは無置換の２価のアリール基を表す。
Ｒ5は、置換もしくは無置換のアルキレン基、または−Ｏ−ＣＨ2−ＣＨＯＨ−ＣＨ2−を
表す。）
一般式（２）
【化２】
2013209614.tif 000002
（式中、Ｒ7〜Ｒ12は、それぞれ独立に、水素原子、ハロゲン原子、置換もしくは無置換
のアルキル基、置換もしくは無置換のアルケニル基、または置換もしくは無置換のアリー
ル基を表し、
Ｒ13〜Ｒ16は、それぞれ独立に、水素原子、ハロゲン原子、置換もしくは無置換のアルキ
ル基、置換もしくは無置換のアリール基、−ＣＯＯ−Ｒ17、または−Ｏ−Ｒ18を表す。
ここで、Ｒ7〜Ｒ16のいずれか１つはＸとの結合手である。
Ｒ8〜Ｒ12のうち隣接する置換基同士、および、Ｒ13〜Ｒ16のうち隣接する置換基同士は
、それぞれ互いに結合して５または６員環を形成してもよい。
Ｒ17およびＲ18は、置換もしくは無置換のアルキル基、または、置換もしくは無置換のア
リール基を表す。）
【請求項２】
下記一般式（３）で表される、請求項１記載のキノフタロン色素単量体（Ａ）。
一般式（３）
【化３】
2013209614.tif 000003
（式中、Ｒ1は、水素原子、またはメチル基を表す。
Ｒ19〜Ｒ23は、それぞれ独立に、水素原子、ハロゲン原子、置換もしくは無置換のアルキ
ル基、置換もしくは無置換のアルケニル基、または置換もしくは無置換のアリール基を表
し、
Ｒ24〜Ｒ27は、それぞれ独立に、水素原子、ハロゲン原子、置換もしくは無置換のアルキ
ル基、置換もしくは無置換のアリール基、−ＣＯＯ−Ｒ28、または−Ｏ−Ｒ29を表す。
Ｒ19〜Ｒ23のうち隣接する置換基同士、および、Ｒ24〜Ｒ27のうち隣接する置換基同士は
、それぞれ互いに結合して５または６員環を形成してもよい。
Ｒ28およびＲ29は、置換もしくは無置換のアルキル基、または、置換もしくは無置換のア
リール基を表す。
Ｘ2は、置換もしくは無置換の３級炭素を有するアルキレン基、置換もしくは無置換のエ
ステル結合（−ＣＯＯ−）もしくはエーテル結合（−Ｏ−）から選ばれる一種類以上の結
合を少なくとも１つ含むアルキレン基、置換もしくは無置換のアルケニレン基、置換もし
くは無置換の２価のアリール基、−Ｒ30−Ｏ−Ｒ31−、−Ｒ30−ＣＯ−Ｒ31−、−Ｒ30−
Ｏ−ＣＯ−Ｒ31−、−Ｒ30−Ｏ−ＣＯＮＨ−Ｒ31−、または−Ｒ30−Ｏ−ＣＯ−Ｒ32−Ｃ
Ｏ−Ｒ31−を表す。
Ｒ30およびＲ32は、それぞれ独立に、置換もしくは無置換のアルキレン基、置換もしくは
無置換のアルケニレン基、または置換もしくは無置換の２価のアリール基を表す。
Ｒ31は、置換もしくは無置換のアルキレン基、または−Ｏ−ＣＨ2−ＣＨＯＨ−ＣＨ2−を
表す。）
【請求項３】
下記一般式（４）で表される、請求項１記載のキノフタロン色素単量体（Ａ）。
一般式（４）
【化４】
2013209614.tif 000004
（式中、Ｒ1は、水素原子、またはメチル基を表す。
Ｒ33は、置換もしくは無置換のアルキル基、置換もしくは無置換のアルケニル基、または
置換もしくは無置換のアリール基を表し、
Ｒ34〜Ｒ38は、それぞれ独立に、水素原子、ハロゲン原子、置換もしくは無置換のアルキ
ル基、置換もしくは無置換のアルケニル基、または置換もしくは無置換のアリール基を表
し、
Ｒ39〜Ｒ41は、それぞれ独立に、水素原子、ハロゲン原子、置換もしくは無置換のアルキ
ル基、置換もしくは無置換のアリール基、−ＣＯＯ−Ｒ42、または−Ｏ−Ｒ43を表す。
Ｒ34〜Ｒ38のうち隣接する置換基同士は、それぞれ互いに結合して５または６員環を形成
してもよい。
Ｒ42およびＲ43は、置換もしくは無置換のアルキル基、または、置換もしくは無置換のア
リール基を表す。
Ｘ3は、−Ｒ44−、−Ｏ−Ｒ45−、−ＣＯ−Ｒ45−、−ＣＯＯ−Ｒ45−、または−Ｏ−Ｃ
Ｏ−Ｒ45−を表す。
Ｒ44は、置換もしくは無置換の３級炭素を有するアルキレン基、置換もしくは無置換のエ
ステル結合（−ＣＯＯ−）もしくはエーテル結合（−Ｏ−）から選ばれる一種類以上の結
合を少なくとも１つ含むアルキレン基、置換もしくは無置換のアルケニレン基、置換もし
くは無置換の２価のアリール基、−Ｒ46−Ｏ−Ｒ47−、−Ｒ46−ＣＯ−Ｒ47−、−Ｒ46−
Ｏ−ＣＯ−Ｒ47−、−Ｒ46−Ｏ−ＣＯＮＨ−Ｒ47−、または−Ｒ46−Ｏ−ＣＯ−Ｒ48−Ｃ
Ｏ−Ｒ47−を表す。
Ｒ45は、置換もしくは無置換のアルキレン基、置換もしくは無置換のアルケニレン基、置
換もしくは無置換の２価のアリール基、−Ｒ46−Ｏ−Ｒ47−、−Ｒ46−ＣＯ−Ｒ47−、−
Ｒ46−Ｏ−ＣＯ−Ｒ47−、−Ｒ46−Ｏ−ＣＯＮＨ−Ｒ47−、または−Ｒ46−Ｏ−ＣＯ−Ｒ
48−ＣＯ−Ｒ47−を表す。
Ｒ46およびＲ48は、それぞれ独立に、置換もしくは無置換のアルキレン基、置換もしくは
無置換のアルケニレン基、または置換もしくは無置換の２価のアリール基を表す。
Ｒ47は、置換もしくは無置換のアルキレン基、または−Ｏ−ＣＨ2−ＣＨＯＨ−ＣＨ2−を
表す。）
【請求項４】
請求項１〜３いずれかに記載のキノフタロン色素単量体（Ａ）と、キノフタロン色素単量
体（Ａ）以外の重合性単量体（Ｂ）との重合体である着色性ポリマー（Ｃ）。
【請求項５】
請求項１〜３いずれかに記載のキノフタロン色素単量体（Ａ）および／または請求項４に
記載の着色性ポリマー（Ｃ）と、キノフタロン色素単量体（Ａ）以外の重合性単量体（Ｂ
）と、光ラジカル重合開始剤（Ｄ）とを有する着色感光性組成物。
【請求項６】
請求項１〜３いずれかに記載のキノフタロン色素単量体（Ａ）および／または請求項４に
記載の着色性ポリマー（Ｃ）を含んでなるカラーフィルタ用色素。
【請求項７】
少なくとも着色剤とバインダー樹脂とからなるカラーフィルタ用着色組成物において、該
着色剤が、請求項６記載のカラーフィルタ用色素を含むことを特徴とするカラーフィルタ
用着色組成物。
【請求項８】
少なくとも赤色フィルタセグメント、緑色フィルタセグメント、および青色フィルタセグ
メントを備えるカラーフィルタにおいて、少なくとも１つのフィルタセグメントが、請求
項７記載のカラーフィルタ用着色組成物により形成されてなるカラーフィルタ。
【手続補正２】
【補正対象書類名】明細書
【補正対象項目名】００３０
【補正方法】変更
【補正の内容】
【００３０】
更に本発明は、上記いずれかに記載のキノフタロン色素単量体（Ａ）と、キノフタロン色
素単量体（Ａ）以外の重合性単量体（Ｂ）との重合体である着色性ポリマー（Ｃ）に関す
る。